(57)【要約】【課題】ガラス扉を大きく開放させて盤面部品のメンテナンスや釘調整等を容易に行うことができるパチンコ機を提供する。【解決手段】基部２３ｂから舌片状に延びる突出部２３の下面先端に係止部２３ｆが設けられた長板状治具２３を準備しておき、この長板状治具２３の基部２３ｂを本体枠２の上端隅部に取り付けて突出部２３を側方へ延出させた後、ガラス扉３を本体枠２に対して所定位置まで開放した状態で、ガラス扉３の上側の第２ピン３ａを本体枠２の軸孔から取り外して長板状治具２３の係止部２３ｆに係合すると、ガラス扉３が下側の第２ピンを中心に全体的に外側へ移動して側方へ傾いた姿勢で本体枠２に支持される。その結果、ガラス扉３の上端側が本体枠２に対して大きく開放するため、この開放動作によって拡がった作業スペースを利用して盤面部品のメンテナンスや釘調整を容易に行うことができる。【選択図】図８
2012125400.tif 000002
【特許請求の範囲】
【請求項１】
機枠と、この機枠に対して上下の第１ピンを中心に開閉可能に軸支された本体枠と、この本体枠に対して上下の第２ピンを中心に開閉可能に軸支されたガラス扉とを備え、
一端側に係止部を有する長板状治具の他端側を前記本体枠に取り付けた状態で、前記ガラス扉の上側の前記第２ピンを前記本体枠から外して前記係止部に係合することにより、前記本体枠に対して前記ガラス扉が下側の前記第２ピンを中心に側方へ傾いた姿勢で支持されるようにしたことを特徴とするパチンコ機。
【発明の詳細な説明】
【技術分野】
【０００１】
本発明は、遊技盤を目視可能なガラス扉が本体枠に対して開閉可能に支持されていると共に、この本体枠が機枠に対して開閉可能に支持されているパチンコ機に関するものである。
【背景技術】
【０００２】
一般的にパチンコ機は、遊技場の島設備に設置される縦長方形状の機枠（外枠）と、この機枠にヒンジ部を介して扉状に開閉可能に取り付けられた本体枠（前面枠）と、この本体枠の内側に収容された遊技盤と、本体枠の前面に別のヒンジ部を介して開閉可能に取り付けられたガラス扉とを備えており、ガラス扉の中央部に形成された開口部には遊技盤を目視可能な透明板が取り付けられている。本体枠の背面には、電装部品の一つである液晶表示装置が取り付けられる他、それ以外の電装部品として遊技に関する制御を行う制御処理装置（制御基板）が基板ケースに収納された状態で取り付けられている。
【０００３】
このように概略構成されたパチンコ機において、例えば遊技盤のメンテナンスや工場出荷前の盤面検査等を行う場合、本体枠に対してガラス扉を開放した状態で作業する必要があるが、隣接するパチンコ機との関係でガラス扉の開放角度は限られているため、ガラス扉が邪魔になって作業を困難なものにしている。特に、ヒンジ部に近い盤面部品のメンテナンスやヒンジ部に近い釘調整を行う場合、ガラス扉の存在によって作業空間が大きく狭められてしまうため、通常、このような場合はガラス扉を本体枠に対してヒンジ部から取り外した状態で所望の作業を行った後、再びガラス扉をヒンジ部を介して本体枠に取り付けるようにしているが、総重量の大きなガラス扉を本体枠から取り外したり本体枠に取り付ける作業は重労働で手間もかかるという問題があった。
【０００４】
そこで、従来より、ガラス扉を本体枠に取り付けたままの状態で作業空間を拡大できるようにするために、上側ヒンジ部の近傍におけるガラス扉と本体枠との間に伸縮型ヒンジ機構を介在させ、この伸縮型ヒンジ機構を用いてガラス扉が本体枠に対して下側ヒンジ部を中心に前方へ所定量傾倒した姿勢で支持されるようにしたパチンコ機が提案されている（例えば、特許文献１参照）。この伸縮型ヒンジ機構は、一端側が本体枠に回転可能に軸支された第１リンク部材と、一端側がガラス扉に回転可能に軸支された第２リンク部材とを有しており、第１リンク部材と第２リンク部材の他端側どうしは連結軸により相対的に移動可能に連結されている。
【０００５】
このような伸縮型ヒンジ機構を用いたパチンコ機において、ガラス扉が本体枠に対して閉じた状態にあるとき、第１リンク部材と第２リンク部材は互いに重なる収納位置に保持されているが、ガラス扉が所定位置（本体枠に対して約９０度回転した位置）まで開放されると、第２リンク部材と連結軸を通じて連繋する第１リンク部材が第１展開位置へ移動する。そして、この状態で上側ヒンジ部が本体枠から取り外されると、第１リンク部材と第２リンク部材が第１展開位置からさらに展開する第２展開位置へ移動し、ガラス扉が本体枠に対して下側ヒンジ部を中心に前方へ所定量傾倒した姿勢で支持されるため、わざわざガラス扉を本体枠から取り外さなくても、前方へ傾倒したガラス扉と本体枠との間に形成される作業スペースを利用してメンテナンスや釘調整が行えるようになっている。
【先行技術文献】
【特許文献】
【０００６】
【特許文献１】特開２０１０−１４８６０２号公報
【発明の概要】
【発明が解決しようとする課題】
【０００７】
特許文献１に開示された従来のパチンコ機は、ガラス扉を開放させた状態で上側ヒンジ部が取り外されると、ガラス扉が自重によって下側ヒンジ部を中心に前方へ所定量傾倒し、それに伴って伸縮型ヒンジ機構の第１リンク部材と第２リンク部材が第２展開位置へ移動して最大長となるため、前方へ傾倒したガラス扉と本体枠との間のスペースが拡がるだけである。そのため、ヒンジ部に近い位置で盤面部品のメンテナンスや釘調整を行う場合、前方へ傾倒した状態のガラス扉が依然として邪魔になってしまい、作業性を向上することができないという問題があった。
【０００８】
本発明は、このような従来技術の実情に鑑みてなされたもので、その目的は、ガラス扉を大きく開放させて盤面部品のメンテナンスや釘調整等を容易に行うことができるパチンコ機を提供することにある。
【課題を解決するための手段】
【０００９】
上記の目的を達成するために、本発明のパチンコ機は、機枠と、この機枠に対して上下の第１ピンを中心に開閉可能に軸支された本体枠と、この本体枠に対して上下の第２ピンを中心に開閉可能に軸支されたガラス扉とを備え、一端側に係止部を有する長板状治具の他端側を前記本体枠に取り付けた状態で、前記ガラス扉の上側の前記第２ピンを前記本体枠から外して前記係止部に係合することにより、前記本体枠に対して前記ガラス扉が下側の前記第２ピンを中心に側方へ傾いた姿勢で支持されるように構成した。
【００１０】
このように構成されたパチンコ機において、盤面部品のメンテナンスや釘調整等を行う場合、本体枠の上端隅部に一部が側方へ突出するように長板状治具を取り付けた後、ガラス扉を所定位置まで開放した状態で上側の第２ピンを本体枠から取り外し、この第２ピンを長板状治具の突出部分に設けられた係止部に係合すると、本体枠に対してガラス扉が下側の第２ピンを中心に側方へ傾いた姿勢で支持される。その結果、所定位置まで開放したガラス扉の上端側が外側へ移動するため、ガラス扉を本体枠に対して大きく開放させることができ、この開放動作によって拡がった作業スペースを利用してメンテナンスや釘調整を容易に行うことができる。
【発明の効果】
【００１１】
本発明のパチンコ機では、本体枠の上端隅部に一部が側方へ突出するように長板状治具を取り付けた後、ガラス扉を所定位置まで開放して上側の第２ピンを本体枠から取り外して、この第２ピンを長板状治具の突出部分に設けられた係止部に係合すると、ガラス扉が下側の第２ピンを中心に全体的に外側へ移動して側方へ傾いた姿勢で本体枠に支持されため、ガラス扉の上端側を本体枠に対して大きく開放させることができ、この開放動作によって拡がった作業スペースを利用して盤面部品のメンテナンスや釘調整を容易に行うことができる。
【図面の簡単な説明】
【００１２】
【図１】本発明の実施形態例に係るパチンコ機の斜視図である。
【図２】図１に示すパチンコ機のガラス扉を通常に開放した状態の斜視図である。
【図３】図１に示すパチンコ機のガラス扉と本体枠を開放した状態の斜視図である。
【図４】図１に示すパチンコ機の背面図である。
【図５】図１に示すパチンコ機に用いられる長板状治具の斜視図である。
【図６】図５に示す長板状治具の裏面図である。
【図７】図５に示す長板状治具を用いたガラス扉の開放手順を説明する要部斜視図である。
【図８】図１に示すパチンコ機のガラス扉を側方へ傾いた姿勢で開放した状態の斜視図である。
【発明を実施するための形態】
【００１３】
発明の実施の形態について図面を参照して説明すると、図１に示すように、本発明の実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられたガラス扉３等を備えており、ガラス扉３にはガラスやプラスチック等からなる透明板４が取り付けられている。
【００１４】
図２と図３に示すように、機枠１の左側枠部には上側軸受け体５と下側軸受け体（図示せず）が固着されており、この下側軸受け体よりも下方の左下隅部には大型のスピーカ６が配設されている。一方、本体枠２の左側枠部の上下両端には第１ピン２ａ（図７参照）が設けられており、これら両第１ピン２ａが対応する上下の軸受け体に軸支されることにより、本体枠２は機枠１に対して開閉自在となっている。なお、詳細な取付手順については後述するが、上側の第１ピン２ａは上側軸受け体５に対して側方から挿入されることで取り付けられ、第１解除レバーの回動操作によって上側軸受け体５から取り外せるようになっている。
【００１５】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２はガラス扉３によって覆い隠される設置部２ｂとなっており、この設置部２ｂ内の下部中央には遊技球を遊技領域９に向けて発射する発射装置１０が配設されている。
【００１６】
本体枠２の右側枠部にはシリンダ錠１１ａを有する施錠装置１１が設置されており、図示せぬが、この施錠装置１１は本体枠２の裏面に配置された後部施錠杆と本体枠２の前面に配置された前部施錠杆とを備えている。常態では、施錠装置１１の後部施錠杆により機枠１に対して本体枠２が施錠されると共に、前部施錠杆により本体枠２に対してガラス扉３が施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動してガラス扉３が開錠されるようになっている。
【００１７】
ガラス扉３の左側枠部の上下両端には第２ピン３ａ（図７参照）が設けられており、これら両第２ピン３ａを本体枠２の上下の軸孔（図示せず）に挿入することにより、ガラス扉３は本体枠２に対して開閉自在となっている。なお、詳細な取付手順については後述するが、ガラス扉３には上側の第２ピン３ａを上下動させる第２解除レバーが設けられており、この第２解除レバーの押下操作によって上側の第２ピン３ａは上側の軸孔から取り外せるようになっている。図１に戻り、ガラス扉３には遊技盤７の盤面に対向する大きな開口３ａが開設されており、この開口３ａは透明板４によって塞がれている。ガラス扉３の前面上部には比較的小型のスピーカ１２が左右に１個ずつ配設されており、これらスピーカ１２と前述した大型のスピーカ６とによって遊技に関する様々な効果音を発するようになっている。また、ガラス扉３の前面下部には、遊技盤７の裏面に配設された球払出装置（不図示）から払い出された遊技球を収容する上段受皿１３と、上段受皿１３から排出された遊技球を収容する下段受皿１４と、遊技者による押下操作が可能なプッシュ釦１５とが設けられており、上段受皿１２の右側方には発射装置１０の発射強度を調整するための操作ハンドル１６が配設されている。
【００１８】
図４に示すように、このパチンコ機Ｐの背面側には、遊技に関する主要な処理を行う主制御基板１７と、主制御基板１７からの指令を受けて可変表示装置やスピーカ等の各種装置を制御する副制御基板１８と、賞球払出装置１９と、主制御基板１７からの指令を受けて賞球払出装置１９を制御する払出制御基板２０と、操作ハンドル１６の回動量に応じて発射装置１０の作動を制御する発射制御基板２１と、賞球数や大当たり回数等の各種情報を遊技場のホールコンピュータに出力する外部端子基板２２等が設けられている。
【００１９】
本実施形態例に係るパチンコ機Ｐにおいて、例えば、工場出荷前の最終的な盤面検査工程で釘調整する場合や、遊技場に設置後に遊技盤７のメンテナンス等を行う場合、長板状治具２３を用いてガラス扉３の上端側を本体枠２に対して大きく開放させた状態で、かかる釘調整やメンテナンス等の作業を行えるようになっている。図５と図６に示すように、この長板状治具２３は、中央に貫通孔２３ａを有する平面視略矩形状の基部２３ｂと、基部２３ｂの一辺から斜め側方へ延びる舌片状の突出部２３ｃとからなり、基部２３ｂの上面隅部にはボス２３ｄが立設されている。また、突出部２３ｃの下面側には先端部に向かって直線状に延びるガイド溝２３ｅが形成されており、このガイド溝２３ｅの後端は突出部２３ｃの側面で開口し、ガイド溝２３ｅの先端には鉤形の係止部２３ｆが形成されている。
【００２０】
以下、この長板状治具２３を用いた作業手順を主として図７と図８に基づいて説明する。まず、ガラス扉３の右側枠部に露出するシリンダ錠１１ａの鍵穴に図示せぬ鍵を差し込み、この鍵を一方向（例えば時計回り）へ回動して本体枠２を開錠した後、本体枠２を機枠１に対して上下の第１ピン２ａを中心に所定位置（機枠１に対して約９０度）まで開放する。次に、図７（ａ）に示すように、機枠１の上側軸受け体５に付設された第１解除レバー２４を同図の矢印Ａ方向へ回動操作することにより、上側の第１ピン２ａを上側軸受け体５から取り外して本体枠２を下側軸受け体のみで機枠１に支持させた後、図７（ｂ）に示すように、本体枠２の左側枠部の上端面に長板状治具２３の基部２３ｂを載置して貫通孔２３ａから上側の第１ピン２ａを突出させる。この状態で上側の第１ピン２ａと長板状治具２３のボス２３ｄを上側軸受け体５に対して側方から順次挿入した後、本体枠２を上下の第１ピン２ａを中心に閉じて初期位置に押し戻すと、図７（ｃ）に示すように、長板状治具２３の基部２３ｂが上側軸受け体５と本体枠２との間に取り付けられ、その突出部２３ｃが本体枠２の左側枠部から側方へ延出する。このとき、機枠１の上側軸受け体５に第１ピン２ａとボス２３ｄが係合しているため、長板状治具２３の第１ピン２ａ周りの回転がボス２３ｄによって阻止され、長板状治具２３の取付姿勢は安定的に保持される。
【００２１】
次に、シリンダ錠１１ａの鍵穴に差し込んだ鍵を他方向へ回動してガラス扉３を開錠した後、ガラス扉３を本体枠２に対して上下の第２ピン３ａを中心に所定位置（本体枠２に対して約９０度）まで開放し、この状態でガラス扉３の背面に付設された第２解除レバー２５を同図の矢印Ｂ方向へ押下操作することにより、図７（ｄ）に示すように、上側の第２ピン３ａを上側の軸孔から取り外してガラス扉３を下側の軸孔のみで本体枠２に支持させる。しかる後、本体枠２の軸孔から取り外した第２ピン３ａを長板状治具２３の突出部２３ｃの側面に開口するガイド溝２３ｅ内に挿入し、この第２ピン３ａをガイド溝２３ｅに沿って左方へずらして係止部２３ｆまで導くと、図８に示すように、ガラス扉３が下側の第２ピンを中心に全体的に外側へ移動して側方へ傾いた姿勢で本体枠２に支持される。その結果、ガラス扉３の上端側が本体枠２に対して大きく開放した状態となるため、この開放動作によって拡がった作業スペースを利用して盤面部品のメンテナンスや釘調整を容易に行うことができる。
【００２２】
なお、このようにしてガラス扉３を開放した状態でメンテナンスや釘調整等の作業が終了した後、長板状治具２３は上記と逆の作業手順によってパチンコ機Ｐから取り除かれる。この場合、まず、長板状治具２３の係止部２３ｆに係合している第２ピン３ａをガイド溝２３ｅに沿って右方へずらして長板状治具２３から取り外した後、この第２ピン３ａを本体枠２の上側の軸孔に挿入してガラス扉３を本体枠２に対して閉じる。次いで、本体枠２を機枠１に対して開放させた後、本体枠２の上側の第１ピン２ａを機枠１の上側軸受け体５から取り外した状態で長板状治具２３を本体枠２から取り除き、しかる後、上側の第１ピン２ａを上側軸受け体５に挿入して本体枠２を機枠１に対して閉じることにより、パチンコ機Ｐは図１に示す通常の使用状態に戻る。
【００２３】
以上説明したように、本実施形態例に係るパチンコ機Ｐでは、基部２３ｂから舌片状に延びる突出部２３の下面先端に係止部２３ｆが設けられた長板状治具２３を準備しておき、この長板状治具２３の基部２３ｂを本体枠２の上端隅部に取り付けて突出部２３を側方へ延出させた後、ガラス扉３を本体枠２に対して所定位置まで開放した状態で、ガラス扉３の上側の第２ピン３ａを本体枠２の軸孔から取り外して長板状治具２３の係止部２３ｆに係合すると、ガラス扉３が下側の第２ピンを中心に全体的に外側へ移動して側方へ傾いた姿勢で本体枠２に支持されため、ガラス扉３の上端側を本体枠２に対して大きく開放させることができ、この開放動作によって拡がった作業スペースを利用して盤面部品のメンテナンスや釘調整を容易に行うことができる。
【００２４】
また、長板状治具２３の基部２３ｂを本体枠２の上端面に載置して貫通孔２３ａから第１ピン２ａを突出させた後、第１ピン２ａを上側軸受け体５に係合して本体枠２を機枠１に対して閉じると、基部２３ｂに設けたボス２３ｄによって長板状治具２３の取付姿勢が規定されるようになっているため、ネジ止めやスナップ止め等の煩雑な固定手段を用いることなく簡単に長板状治具２３を本体枠２に取り付けることができる。しかも、長板状治具２３の突出部２３に降誕を開口したガイド溝２３ｅが形成され、このガイド溝２３ｅの先端に係止部２３ｆが形成されているため、本体枠２の軸孔から取り外した第２ピン３ａをガイド溝２３ｅに沿って係止部２３ｆまで確実に導くことができ、長板状治具２３に対して第２ピン３ａを簡単かつ確実に脱着させることができる。
【符号の説明】
【００２５】
１  機枠
２  本体枠
２ａ  第１ピン
３  ガラス扉
３ａ  第２ピン
４  透明板
５  上側軸受け体
７  遊技盤
９  遊技領域
１１  施錠装置
２３  長板状治具
２３ａ  貫通孔
２３ｂ  基部
２３ｃ  突出部
２３ｄ  ボス
２３ｅ  ガイド溝
２３ｆ  係止部
Ｐ  パチンコ機
【図１】
2012125400.tif 000003
【図２】
2012125400.tif 000004
【図３】
2012125400.tif 000005
【図４】
2012125400.tif 000006
【図５】
2012125400.tif 000007
【図６】
2012125400.tif 000008
【図７】
2012125400.tif 000009
【図８】
2012125400.tif 000010